(57)【要約】【課題】従来の目視による検査よりも信頼性が向上でき、多品種のコネクタを簡単に検査できるようにする。【解決手段】メスコネクタピンに嵌合自在な検査子１がメスコネクタピンの穴径に対応する径のピンを有する。検査子１は、メスコネクタピンに向かって挿入されて当該メスコネクタピンに嵌合する。そして、検査子１は、メスコネクタピンに嵌合した位置から更に挿入方向にメスコネクタピンを押すことで、メスコネクタピンがメスコネクタに固定されているか否かを検査する。この検査子には連結具５が設けられる。検査子１の径が異なる検査治具を複数用意した場合、これらの検査治具を連結具５でひとまとめにする。これにより、従来の目視による検査よりも信頼性が向上でき、多品種のコネクタを簡単に検査できる。【選択図】図１
2011129436.tif 000002
【特許請求の範囲】
【請求項１】
メスコネクタに取り付けられる所定の穴径を有するメスコネクタピンの取り付け状態を検査する検査治具であって、
前記メスコネクタピンの穴径に対応する径のピンを有し、前記メスコネクタピンに嵌合自在な検査子と、
前記検査子に設けられる連結具とを備えることを特徴とする検査治具。
【請求項２】
オスコネクタに取り付けられる所定の径を有する柱状のオスコネクタピンの取り付け状態を検査する検査治具であって、
前記オスコネクタピンの径に対応する穴径の穴を有し、前記オスコネクタピンに嵌合自在な検査子と、
前記検査子に設けられる連結具とを備えることを特徴とする検査治具。
【請求項３】
前記検査子は、
前記コネクタピンの長さに対応した位置に目盛りを有することを特徴とする請求項１又は２に記載の検査治具。
【請求項４】
前記検査子の先端には接触センサが設けられ、
前記本体部には発光部が設けられ、
前記発光部は、
前記検査子を前記コネクタピンに嵌合して前記接触センサが前記コネクタピンに接触すると発光することを特徴とする請求項１乃至３のいずれかに記載の検査治具。
【請求項５】
前記検査子の先端には接触センサが設けられ、
前記本体部には放音部が設けられ、
前記放音部は、
前記検査子を前記コネクタピンに嵌合して前記接触センサが前記コネクタピンに接触すると放音することを特徴とする請求項１乃至３のいずれかに記載の検査治具。
【請求項６】
コネクタに取り付けられてケーブルに接続されたコネクタピンの取り付け状態を検査する検査治具の製造方法であって、
前記コネクタから前記コネクタピンを取り外す工程と、
取り外した前記コネクタピンから前記ケーブルを取り外す工程と、
前記ケーブルを取り外した前記コネクタピンに連結具を取り付ける工程とを備えることを特徴とする検査治具の製造方法。
【発明の詳細な説明】
【技術分野】
【０００１】
本発明は、コネクタに取り付けられるコネクタピンの取り付け状態を検査する検査治具及びその製造方法に関するものである。
【背景技術】
【０００２】
機器間を接続するコネクタには、例えば、ＸＬＲコネクタ等があり、当該ＸＬＲコネクタは、メスコネクタピンを有するメスコネクタと、オスコネクタピンを有するオスコネクタとがある。コネクタは、メスコネクタピンとオスコネクタピンとが嵌合することで、メスコネクタとオスコネクタとが嵌合して機器間を接続する。
【０００３】
図１１Ａは、メスコネクタ２０の構成例を示す正面図であり、図１１Ｂは、メスコネクタ２０の構成例を示す右側面断面図である。図１１Ａ，Ｂに示すように、メスコネクタ２０は、筐体２１，２２及びメスコネクタピン２４Ａ，２４Ｂで構成される。
【０００４】
メスコネクタピン２４Ａ，２４Ｂの一端には嵌合穴２５Ａ，２５Ｂが穿設され、当該嵌合穴２５Ａ，２５Ｂは、後述するオスコネクタピン４４Ａ，４４Ｂが有する嵌合ピン４５Ａ，４５Ｂと嵌合する。メスコネクタピン２４Ａ，２４Ｂの他端にはケーブル２７が接続される。ケーブル２７は、図示しない機器と接続される。また、メスコネクタピン２４Ａ，２４Ｂにはストッパ２６Ａ，２６Ｂが設けられる。
【０００５】
筐体２１は、ピン孔２３ａが穿設されたピン固定部２３を収納する。図１１では、ピン固定部２３に５つのピン孔２３ａが穿設されている。ピン固定部２３は、メスコネクタピン２４Ａ，２４Ｂがピン孔２３ａに挿入されてストッパ２６Ａ，２６Ｂによって当接されることで、メスコネクタピン２４Ａ，２４Ｂを固定する。また、筐体２１にはコネクタ係合部２１ａが設けられ、当該コネクタ係合部２１ａは、後述するオスコネクタ４０の筐体４１が有するコネクタ被係合部４１ａに係合する。
【０００６】
図１２Ａは、オスコネクタ４０の構成例を示す正面図であり、図１２Ｂは、オスコネクタ４０の構成例を示す右側面断面図である。図１２Ａ，Ｂに示すように、オスコネクタ４０は、筐体４１，４２及びオスコネクタピン４４Ａ，４４Ｂで構成される。
【０００７】
オスコネクタピン４４Ａ，４４Ｂの一端には嵌合ピン４５Ａ，４５Ｂが設けられ、当該嵌合ピン４５Ａ，４５Ｂは、前述のメスコネクタピン２４Ａ，２４Ｂが有する嵌合穴２５Ａ，２５Ｂと嵌合する。オスコネクタピン４４Ａ，４４Ｂの他端にはケーブル４７が接続される。ケーブル４７は、図示しない機器と接続される。また、オスコネクタピン４４Ａ，４４Ｂにはストッパ４６Ａ，４６Ｂが設けられる。
【０００８】
筐体４１は、ピン孔４３ａが穿設されたピン固定部４３を収納する。図１２では、ピン固定部４３に５つのピン孔４３ａが穿設されている。ピン固定部４３は、オスコネクタピン４４Ａ，４４Ｂがピン孔４３ａに挿入されてストッパ４６Ａ，４６Ｂによって当接されることで、オスコネクタピン４４Ａ，４４Ｂを固定する。また、筐体４１にはコネクタ被係合部４１ａが設けられ、当該コネクタ被係合部４１ａは、前述のメスコネクタ２０の筐体２１が有するコネクタ係合部２１ａに係合する。
【０００９】
このようなメスコネクタ２０及びオスコネクタ４０は、メスコネクタピン２４Ａ，２４Ｂ及びオスコネクタピン４４Ａ，４４Ｂがピン固定部２３，４３に固定されているか否かを目視によって検査されることがある。
【００１０】
特許文献１にはコネクタのピン抜け検査用治具が開示されている。このピン抜け検査用治具によれば、多数の押しピンが一列に設けられる押しピン立設部と、この押しピン立設部をコネクタに向けて上下方向に移動させるトグル型ハンドプレス機械とを備える。これにより、押しピン立設部の下部にコネクタを載置して、トグル型ハンドプレス機械で押しピン立設部を下降させることで、コネクタの一列のピンについてピンが抜けているか否かを検査できる。
【先行技術文献】
【特許文献】
【００１１】
【特許文献１】特開平５−１３１４１号公報
【発明の概要】
【発明が解決しようとする課題】
【００１２】
ところで、従来のコネクタのピン抜け検査方法は、目視による検査であったので、コネクタピンの位置が数ミリだけコネクタの所定の位置よりずれていても確認できないことがあった。また、特許文献１のピン抜け検査用治具によれば、ピン立設部を一回だけ下降することでコネクタのピン一列についてピン抜けの検査ができるので、一品種の作業効率を向上できるが、ピン径が異なるコネクタを検査する場合、そのピン径に対応した新たな押しピン立設部に取り替える必要があり作業が煩雑になってしまう。また、当該ピン抜け検査用治具を設置するための大きなスペースが必要であり、ピン抜け検査用治具を導入するために大きなコストがかかってしまうという問題がある。
【００１３】
そこで、本発明は、このような課題を解決したものであって、従来の目視による検査よりも信頼性が向上できて多品種のコネクタを簡単に検査でき、従来の高価なピン抜け検査用治具よりも製造コストが低減できる検査治具及びその製造方法を提供することを目的とする。
【課題を解決するための手段】
【００１４】
上述の課題を解決するために、本発明に係る検査治具は、メスコネクタに取り付けられる所定の穴径を有するメスコネクタピンの取り付け状態を検査する検査治具であって、メスコネクタピンの穴径に対応する径のピンを有し、メスコネクタピンに嵌合自在な検査子と、検査子に設けられる連結具とを備えることを特徴とするものである。
【００１５】
本発明に係る検査治具では、メスコネクタピンに嵌合自在な検査子がメスコネクタピンの穴径に対応する径のピンを有する。検査子は、メスコネクタピンに向かって挿入されて当該メスコネクタピンに嵌合する。そして、検査子は、メスコネクタピンに嵌合した位置から更に挿入方向にメスコネクタピンを押すことで、メスコネクタピンがメスコネクタに固定されているか否かを検査する。この検査子には連結具が設けられる。検査子の径が異なる検査治具を複数用意した場合、これらの検査治具を連結具でひとまとめにする。
【００１６】
また、本発明に係る検査治具は、オスコネクタに取り付けられる所定の径を有する柱状のオスコネクタピンの取り付け状態を検査する検査治具であって、オスコネクタピンの径に対応する穴径の穴を有し、オスコネクタピンに嵌合自在な検査子と、検査子に設けられる連結具とを備えることを特徴とするものである。
【００１７】
本発明に係る検査治具では、オスコネクタピンに嵌合自在な検査子がオスコネクタピンの径に対応する穴径の穴を有する。検査子は、穴にオスコネクタピンが挿入されて当該オスコネクタピンに嵌合する。そして、検査子は、オスコネクタピンに嵌合した位置から更に挿入方向にオスコネクタピンを押すことで、オスコネクタピンがオスコネクタに固定されているか否かを検査する。この検査子には連結具が設けられる。検査子の径が異なる検査治具を複数用意した場合、これらの検査治具を連結具でひとまとめにする。
【００１８】
本発明に係る検査治具の製造方法は、コネクタに取り付けられてケーブルに接続されたコネクタピンの取り付け状態を検査する検査治具の製造方法であって、コネクタからコネクタピンを取り外す工程と、取り外したコネクタピンからケーブルを切断する工程と、ケーブルを切断したコネクタピンに連結具を取り付ける工程とを備えることを特徴とするものである。
【発明の効果】
【００１９】
本発明に係る検査治具によれば、メスコネクタピン及びオスコネクタピンがメスコネクタ及びオスコネクタに固定されているか否かを煩雑な作業をすることなく確認でき、例えば、メスコネクタピン及びオスコネクタピンの位置が数ミリだけメスコネクタ及びオスコネクタの所定の位置よりずれていても、そのずれが確認できるので、従来の目視による検査よりも信頼性が向上できる。また、連結具で複数の検査治具をひとまとめにできるので、メスコネクタピンの穴径が異なるメスコネクタが複数あった場合、穴径が異なるメスコネクタ全てを検査でき、オスコネクタピンの径が異なるオスコネクタが複数あった場合、径が異なるオスコネクタ全てを検査できる。
【００２０】
本発明に係る検査治具の製造方法によれば、コネクタに取り付けられているコネクタピンを流用して、容易にコネクタの検査治具を製造できるので、その製造コストが低減できる。
【図面の簡単な説明】
【００２１】
【図１】第１の実施の形態に係る検査治具１０の構成例を示す正面図である。
【図２】（Ａ），（Ｂ），（Ｃ）は、検査治具１０を使用したメスコネクタ２０の検査例（その１）を示す説明図である。
【図３】（Ａ），（Ｂ），（Ｃ）は、検査治具１０を使用したメスコネクタ２０の検査例（その２）を示す説明図である。
【図４】検査治具１０の製造例（その１）を示す説明図である。
【図５】検査治具１０の製造例（その２）を示す説明図である。
【図６】検査治具１０の製造例（その３）を示す説明図である。
【図７】第２の実施の形態に係る検査治具３０の構成例を示す正面図である。
【図８】（Ａ），（Ｂ），（Ｃ）は、検査治具３０を使用したオスコネクタ４０の検査例（その１）を示す説明図である。
【図９】（Ａ），（Ｂ），（Ｃ）は、検査治具３０を使用したオスコネクタ４０の検査例（その２）を示す説明図である。
【図１０】第３の実施の形態に係る検査治具５０の構成例を示す正面図である。
【図１１】（Ａ）は、メスコネクタ２０の構成例を示す正面図であり、（Ｂ）は、その右側面断面図である。
【図１２】（Ａ）は、オスコネクタ４０の構成例を示す正面図であり、（Ｂ）は、その右側面断面図である。
【発明を実施するための形態】
【００２２】
以下、図面を参照して、第１の実施の形態に係る検査治具１０、第２の実施の形態に係る検査治具３０及び第３の実施の形態に係る検査治具５０について説明する。
【００２３】
＜第１の実施の形態＞  
［検査治具１０の構成例］  
本実施の形態に係る検査治具１０は、メスコネクタ２０に取り付けられるメスコネクタピン２４Ａ，２４Ｂの取り付け状態を検査するものである。図１は、第１の実施の形態に係る検査治具１０の構成例を示す正面図である。図１に示すように、検査治具１０は、検査子１、本体部２、取付部３、リング４及び連結具５で構成される。
【００２４】
検査治具１０は、例えば、図１２で説明したオスコネクタ４０のオスコネクタピン４４Ａ，４４Ｂを流用して作製され、オスコネクタピン４４Ａ，４４Ｂと同じ材質、例えば、真鍮等で形成される。これにより、メスコネクタ２０の検査時にオスコネクタピン４４Ａ，４４Ｂを損傷させることを低減する。
【００２５】
検査子１は、図１１に示したメスコネクタ２０に取り付けられる所定の穴径を有するメスコネクタピン２４Ａ，２４Ｂに嵌合自在で、メスコネクタピン２４Ａ，２４Ｂの穴径に対応する径のピンを有する。検査子１は、ユーザによって摘んで持たれる（摘持）本体部２から突出していて、メスコネクタピン２４Ａ，２４Ｂに向かって挿入されてメスコネクタピン２４Ａ，２４Ｂに嵌合する。また、検査子１にはメスコネクタピン２４Ａ，２４Ｂの長さ（嵌合穴２５Ａ，２５Ｂの深さ）に対応した位置に目盛り１ａが設けられる。
【００２６】
目盛り１ａは、検査子１がメスコネクタピン２４Ａ，２４Ｂに完全に嵌合したとき、メスコネクタピン２４Ａ，２４Ｂに覆われる位置にある。これにより、ユーザは、検査子１の先端が嵌合穴２５Ａ，２５Ｂの奥部まで達したことを確認でき、嵌合穴２５Ａ，２５Ｂの深さが正常な深さであるか否かを確認できる（深さバラツキを確認できる）。
【００２７】
検査子１の反対側の本体部２には取付部３及びリング４を介して連結具５が設けられる。取付部３には本体部２と接続するために図６で後述する取付ネジ３ａが設けられる。また、取付ネジ３ａにはリング４を貫通させる孔が穿設される。リング４は、取付部３と連結具５とを連結させるものである。
【００２８】
連結具５は、例えば、カラビナ等が使用され、ユーザのベルトや作業着等に連結される。検査子１の径が異なる検査治具を複数用意した場合、これらの検査治具を連結具５でひとまとめにすることができる。これにより、ユーザが検査治具１０を持ち運ぶときに当該検査治具１０の落下を防止でき、メスコネクタピン２４Ａ，２４Ｂの穴径が異なるメスコネクタ２０が複数あった場合でも、穴径が異なるメスコネクタ全てを検査できる。
【００２９】
［検査治具１０を使用した検査例］  
次に、検査治具１０を使用したメスコネクタ２０の検査例について説明する。図２Ａ，Ｂ，Ｃは、検査治具１０を使用したメスコネクタ２０の検査例（その１）を示す説明図であり、メスコネクタピン２４Ａがメスコネクタ２０に固定されているときの検査例である。図２Ａ，Ｂ，Ｃに示す検査治具１０及びメスコネクタ２０は、図１及び図１１で説明したものと同じものであるので、その説明を省略する。
【００３０】
図２Ａに示すように、ユーザが自身の指６０で検査治具１０の本体部２を摘んで持ち（摘持）、メスコネクタ２０のメスコネクタピン２４Ａに検査子１を挿入してメスコネクタ２０のピン固定部２３にメスコネクタピン２４Ａが確実に固定されているか否かを検査する場合を前提とする。
【００３１】
図２Ｂに示すように、ユーザが本体部２を摘持して検査子１が突出した方向にメスコネクタピン２４Ａに向かって検査治具１０を移動させることで、検査治具１０の検査子１がメスコネクタピン２４Ａの嵌合穴２５Ａに嵌合される。ユーザは、更に本体部２を検査子１が突出した方向（挿入方向）に移動させて、検査治具１０をメスコネクタ２０に挿入させる。
【００３２】
図２Ｃに示すように、検査子１は、メスコネクタピン２４Ａに完全に嵌合する。すると、検査子１に設けられている目盛り１ａがメスコネクタピン２４Ａに覆われるので、ユーザは、目盛り１ａが覆われた検査子１を見ることで、検査子１の先端が嵌合穴２５Ａの奥部まで達したことを確認できる。この状態で、メスコネクタピン２４Ａに嵌合した検査子１を更に挿入方向にメスコネクタ２０を押しても、メスコネクタピン２４Ａがメスコネクタ２０から外れない。つまり、ストッパ２６Ａがピン孔２３ａに固定されていて、メスコネクタピン２４Ａがメスコネクタ２０の所定の位置で固定されている。
【００３３】
検査子１は、本体部２をユーザによって摘持されてメスコネクタピン２４Ａに挿入するので、メスコネクタ２０に固定されたメスコネクタピン２４Ａが外れるような過大な力が加わることが無い。これにより、正常に固定されたメスコネクタピン２４Ａ及びメスコネクタ２０を破壊することを防止できる。
【００３４】
図３Ａ，Ｂ，Ｃは、検査治具１０を使用したメスコネクタ２０の検査例（その２）を示す説明図であり、メスコネクタピン２４Ｂがメスコネクタ２０に完全に固定されておらず、例えば、メスコネクタピン２４Ｂが所定の固定位置（図２に示したメスコネクタピン２４Ａの位置）から数ミリだけずれているときの検査例である。図３Ａ，Ｂ，Ｃに示す検査治具１０及びメスコネクタ２０は、図１及び図１１で説明したものと同じものであるので、その説明を省略する。
【００３５】
図３Ａに示すように、ユーザが自身の指６０で検査治具１０の本体部２を摘持して、メスコネクタ２０のメスコネクタピン２４Ｂに検査子１を挿入してメスコネクタ２０のピン固定部２３にメスコネクタピン２４Ｂが確実に固定されているか否かを検査する場合を前提とする。
【００３６】
図３Ｂに示すように、ユーザが本体部２を摘持して検査子１が突出した方向に移動させることで、検査治具１０の検査子１がメスコネクタピン２４Ｂの嵌合穴２５Ｂに完全に嵌合される。検査子１に設けられている目盛り１ａがメスコネクタピン２４Ｂに覆われ、ユーザは、この覆われた検査子１を見ることで、検査子１の先端が嵌合穴２５Ｂの奥部まで達したことを確認できる。
【００３７】
図３Ｃに示すように、更に本体部２を挿入方向に押すと、メスコネクタピン２４Ｂがメスコネクタ２０から外れてしまう。つまり、ストッパ２６Ｂがピン孔２３ａに完全に固定されておらず、メスコネクタピン２４Ｂがメスコネクタ２０の所定の位置で固定されていないことを確認できる。
【００３８】
このように、本実施の形態に係る検査治具１０によれば、メスコネクタピン２４Ａ，２４Ｂに嵌合自在な検査子１がメスコネクタピン２４Ａ，２４Ｂの穴径に対応する径のピンを有する。検査子１は、メスコネクタピン２４Ａ，２４Ｂに向かって挿入されて当該メスコネクタピン２４Ａ，２４Ｂに嵌合する。そして、検査子１は、メスコネクタピン２４Ａ，２４Ｂに嵌合した位置から更に挿入方向にメスコネクタピンを押すことで、メスコネクタピン２４Ａ，２４Ｂがメスコネクタ２０に固定されているか否かを検査する。
【００３９】
例えば、メスコネクタピン２４Ａ，２４Ｂがメスコネクタ２０の所定の位置で固定されている場合には、メスコネクタピン２４Ａ，２４Ｂに嵌合した検査子１を更に挿入しても、メスコネクタピン２４Ａ，２４Ｂがメスコネクタ２０から外れない。また、メスコネクタピン２４Ａ，２４Ｂがメスコネクタ２０の所定の位置で固定されていない場合には、メスコネクタピン２４Ａ，２４Ｂに嵌合した検査子１を更に挿入すると、メスコネクタピン２４Ａ，２４Ｂがメスコネクタ２０から外れる。
【００４０】
この検査子１には連結具５が設けられる。検査子１の径が異なる検査治具を複数用意した場合、これらの検査治具を連結具でひとまとめにできる。
【００４１】
これにより、メスコネクタピン２４Ａ，２４Ｂがメスコネクタ２０に固定されているか否かを煩雑な作業をすることなく確認でき、例えば、図３に示したメスコネクタピン２４Ｂのように固定位置が数ミリだけメスコネクタ２０の所定の位置よりずれていても、そのずれを確認できるので、従来の目視による検査よりも信頼性が向上できる。また、検査治具１０は、非常にコンパクトであるので、従来の検査治具を設置するための大きなスペースを必要とせず、狭い場所であっても検査することができる。
【００４２】
また、連結具５で複数の検査治具をひとまとめにできるので、メスコネクタピン２４Ａ，２４Ｂの穴径が異なるメスコネクタ２０が複数あった場合でも、従来の検査用治具のようにその穴径に対応した新たな押しピン立設部に取り替える必要がなくなり、穴径が異なるメスコネクタ全てを検査できる。
【００４３】
また、検査子１には嵌合穴２５Ａ，２５Ｂの深さに対応した位置に目盛り１ａが設けられている。これにより、検査子１の先端が嵌合穴２５Ａ，２５Ｂの奥部まで達したことを確認でき、嵌合穴２５Ａ，２５Ｂの深さが正常な深さであるか確認できる。
【００４４】
［検査治具１０の製造例］  
次に、検査治具１０の製造例について説明する。図４は、検査治具１０の製造例（その１）を示す説明図であり、オスコネクタ４０からオスコネクタピン４４Ａを取り出す説明図である。図４に示すように、筐体４１に一端にはメスネジが設けられ、筐体４２の一端にはオスネジが設けられ、筐体４１のメスネジと筐体４２のオスネジとが嵌合している。
【００４５】
まず、筐体４１，４２のメスネジ及びオスネジを緩めて筐体４１と筐体４２との嵌合を解除することで、筐体４１と筐体４２とを離間させる。そして、筐体４１内にあるオスコネクタピン４４Ａを嵌合ピン４５Ａの突出方向と反対側に引っ張ってピン固定部４３に固定されるストッパ４６Ａの固定を解除することで、オスコネクタ４０からオスコネクタピン４４Ａを取り外すことができる。
【００４６】
図５は、検査治具１０の製造例（その２）を示す説明図である。図５に示すように、オスコネクタ４０から取り外したオスコネクタピン４４Ａからストッパ４６Ａを取り外す。例えば、ストッパ４６Ａを嵌合ピン４５Ａの突出方向に引っ張ることで取り外すことができる。次に、オスコネクタピン４４Ａに接続されているケーブル４７を取り外す。例えば、ケーブル４７をカッタ等で切断したり、オスコネクタピン４４Ａ内にある、当該オスコネクタピン４４Ａとケーブル４７とを接続させる図示しない圧着部品を取り除いたりして、ケーブル４７をオスコネクタピン４４Ａから取り外す。
【００４７】
図６は、検査治具１０の製造例（その３）を示す説明図である。図６に示すように、ストッパ４６Ａとケーブル４７とが取り外されたオスコネクタピン４４Ａは、嵌合ピン４５Ａを検査子１として、当該検査子１に目盛り１ａが切削加工等によって刻まれる。その後、本体部２の内部に取付穴２ａを設ける。取付穴２ａは、例えば、ドリルで本体部２上部に穴を穿設して、当該穴にタップを切ってネジ穴を設けることで作製できる。
【００４８】
取付穴２ａには取付ネジ３ａを介して取付部３が着脱自在に設けられる。取付ネジ３ａは、取付部３にネジ山を設けたものである。取付部３には図示しない孔が穿設され、リング４が取り付けられる。最後にリング４に連結具５が取り付けられて、検査治具１０が完成する。
【００４９】
このように、本実施の形態に係る検査治具１０の製造方法によれば、オスコネクタ４０からオスコネクタピン４４Ａを取り外す工程と、取り外したオスコネクタピン４４Ａからケーブル４７を取り外す工程と、ケーブル４７を取り外したコネクタピンに連結具５を取り付ける工程とを備える。
【００５０】
これにより、オスコネクタ４０に取り付けられているオスコネクタピン４４Ａを流用して、容易にメスコネクタ２０の検査治具１０を製造できるので、その製造コストが低減できる。
【００５１】
なお、本実施の形態では、ネジ穴を有する取付穴２ａと取付ネジ３ａとを係合させて、取付部３を本体部２に取り付ける説明をしたが、この方法には限定されず、取付ネジ３ａの代わりに取付穴に溶着可能な溶着部を設けて取付部３を本体部２に取り付ける等、様々な方法で取り付け可能である。
【００５２】
＜第２の実施の形態＞  
本実施の形態では、オスコネクタ４０に取り付けられるオスコネクタピン４４Ａ，４４Ｂの取り付け状態を検査する検査治具３０について説明する。前述の実施の形態と同じ名称及び符号のものは同じ機能を有するので、その説明を省略する。
【００５３】
［検査治具３０の構成例］  
図７は、第２の実施の形態に係る検査治具３０の構成例を示す正面図である。図７に示すように、検査治具３０は、検査子３１ｂ、本体部３１、取付部３、リング４及び連結具５で構成される。
【００５４】
検査治具３０は、例えば、図１１で説明したメスコネクタ２０のメスコネクタピン２４Ａ，２４Ｂを流用して作製され、メスコネクタピン２４Ａ，２４Ｂと同じ材質、例えば、真鍮等で形成される。これにより、メスコネクタピン２４Ａ，２４Ｂを損傷させることを低減する。
【００５５】
検査子３１ｂは、図１２に示したオスコネクタ４０に取り付けられ所定の径を有する柱状のオスコネクタピン４４Ａ，４４Ｂに嵌合自在で、オスコネクタピン４４Ａ，４４Ｂの径に対応する穴径の穴を有する。検査子３１ｂは、ユーザによって摘持される本体部３１の内部に上述の穴があり、図１２で説明したオスコネクタピン４４Ａ，４４Ｂに向かって挿入されてオスコネクタピン４４Ａ，４４Ｂに嵌合する。また、検査子３１ｂにはオスコネクタピン４４Ａ，４４Ｂの長さに対応した位置に目盛り３１ａが設けられる。
【００５６】
目盛り３１ａは、検査子３１ｂがオスコネクタピン４４Ａ，４４Ｂに完全に嵌合したとき、オスコネクタ４０の筐体４１の一端の位置にある。これにより、ユーザは、嵌合ピン４５Ａ，４５Ｂの先端が検査子３１ｂの奥部まで達したことを確認でき、嵌合ピン４５Ａ，４５Ｂの長さが正常な長さであるか否かを確認できる（長さバラツキを確認できる）。
【００５７】
［検査治具３０を使用した検査例］  
次に、検査治具３０を使用したオスコネクタ４０の検査例について説明する。図８Ａ，Ｂ，Ｃは、検査治具３０を使用したオスコネクタ４０の検査例（その１）を示す説明図であり、オスコネクタピン４４Ａがオスコネクタ４０に固定されているときの検査例である。図８Ａ，Ｂ，Ｃに示す検査治具３０及びオスコネクタ４０は、図７及び図１２で説明したものと同じものであるので、その説明を省略する。
【００５８】
図８Ａに示すように、ユーザが自身の指６０で検査治具３０の本体部３１を摘んで持ち、検査子３１ｂにオスコネクタ４０のオスコネクタピン４４Ａを挿入してオスコネクタ４０のピン固定部４３にオスコネクタピン４４Ａが確実に固定されているか否かを検査する場合を前提とする。
【００５９】
図８Ｂに示すように、ユーザが本体部３１を摘持してオスコネクタピン４４Ａに向かって検査治具３０を移動させることで、検査治具３０の検査子３１ｂがオスコネクタピン４Ａの嵌合ピン４５Ａに嵌合される。ユーザは、更に検査治具３０を挿入方向に移動させてオスコネクタ４０に挿入させる。
【００６０】
図８Ｃに示すように、検査子３１ｂは、オスコネクタピン４４Ａに完全に嵌合される。すると、検査子３１ｂに設けられている目盛り３１ａが筐体４１に覆われるので、ユーザは、目盛り３１ａが覆われた本体部３１を見ることで、嵌合ピン４５Ａの先端が検査子３１ｂの奥部まで達したことを確認できる。この状態で、オスコネクタピン４４Ａに嵌合した検査子３１ｂを更に挿入方向にオスコネクタ４０を押しても、オスコネクタピン４４Ａがオスコネクタ４０から外れない。つまり、ストッパ４６Ａがピン孔４３ａに固定されていて、オスコネクタピン４４Ａがオスコネクタ４０の所定の位置で固定されている。
【００６１】
検査子３１ｂは、本体部３１をユーザによって摘持されてオスコネクタピン４４Ａに挿入されるので、オスコネクタ４０に固定されたオスコネクタピン４４Ａが外れるような過大な力が加わることが無い。これにより、正常に固定されたオスコネクタピン４４Ａ及びオスコネクタ４０を破壊することを防止できる。
【００６２】
図９Ａ，Ｂ，Ｃは、検査治具３０を使用したオスコネクタ４０の検査例（その２）を示す説明図であり、オスコネクタピン４４Ｂがオスコネクタ４０に完全に固定されておらず、例えば、オスコネクタピン４４Ｂが所定の固定位置（図８に示したオスコネクタピン４４Ａの位置）から数ミリだけずれているときの検査例である。図９Ａ，Ｂ，Ｃに示す検査治具３０及びオスコネクタ４０は、図７及び図１２で説明したものと同じものであるので、その説明を省略する。
【００６３】
図９Ａに示すように、ユーザが自身の指６０で検査治具３０の本体部３１を摘持して、検査子３１ｂにオスコネクタ４０のオスコネクタピン４４Ｂを挿入してオスコネクタ４０のピン固定部４３にオスコネクタピン４４Ｂが確実に固定されているか否かを検査する場合を前提とする。
【００６４】
図９Ｂに示すように、ユーザが本体部３１を摘持して、オスコネクタピン４４Ｂに向かって検査治具３０を移動させることで、検査子３１ｂはオスコネクタピン４４Ｂに完全に嵌合される。すると、検査子３１ｂに設けられている目盛り３１ａが筐体４１に覆われるので、ユーザは、目盛り３１ａが覆われた本体部３１を見ることで、嵌合ピン４５Ｂの先端が検査子３１ｂの奥部まで達したことを確認できる。
【００６５】
図９Ｃに示すように、オスコネクタピン４４Ｂに嵌合した検査子３１ｂを更に挿入方向に押すと、オスコネクタピン４４Ｂがオスコネクタ４０から外れてしまう。つまり、ストッパ４６Ｂがピン孔４３ａに完全に固定されておらず、オスコネクタピン４４Ｂがオスコネクタ４０の所定の位置で固定されていないことを確認できる。
【００６６】
このように、本実施の形態に係る検査治具３０によれば、オスコネクタピン４４Ａ，４４Ｂに嵌合自在な検査子３１ｂがオスコネクタピン４４Ａ，４４Ｂの径に対応する穴径の穴を有する。検査子３１ｂは、穴にオスコネクタピン４４Ａ，４４Ｂが挿入されて当該オスコネクタピン４４Ａ，４４Ｂに嵌合する。そして、検査子３１ｂは、オスコネクタピン４４Ａ，４４Ｂに嵌合した位置から更に挿入方向にオスコネクタピン４４Ａ，４４Ｂを押すことで、オスコネクタピン４４Ａ，４４Ｂがオスコネクタ４０に固定されているか否かを検査する。
【００６７】
例えば、オスコネクタピン４４Ａ，４４Ｂがオスコネクタ４０の所定の位置で固定されている場合には、オスコネクタピン４４Ａ，４４Ｂに嵌合した検査子３１ｂを更に挿入しても、オスコネクタピン４４Ａ，４４Ｂがオスコネクタ４０から外れない。また、オスコネクタピン４４Ａ，４４Ｂがオスコネクタ４０の所定の位置で固定されていない場合には、オスコネクタピン４４Ａ，４４Ｂに嵌合した検査子を更に挿入すると、オスコネクタピン４４Ａ，４４Ｂがオスコネクタ４０から外れる。
【００６８】
この検査子３１ｂには連結具５が設けられる。検査子３１ｂの径が異なる検査治具を複数用意した場合、これらの検査治具を連結具でひとまとめにできる。
【００６９】
これにより、オスコネクタピン４４Ａ，４４Ｂがオスコネクタ４０に固定されているか否かを煩雑な作業をすることなく確認でき、例えば、図９に示したオスコネクタピン４４Ｂのように固定位置が数ミリだけオスコネクタ４０の所定の位置よりずれていても、そのずれを確認できるので、従来の目視による検査よりも信頼性が向上できる。また、検査治具３０は、非常にコンパクトであるので、従来の検査治具を設置するための大きなスペースを必要とせず、狭い場所であっても検査することができる。
【００７０】
また、連結具５で複数の検査治具をひとまとめにできるので、オスコネクタピン４４Ａ，４４Ｂの穴径が異なるオスコネクタ４０が複数あった場合でも、従来の検査用治具のようにその穴径に対応した新たな押しピン立設部に取り替える必要がなくなり、穴径が異なるメスコネクタ全てを検査できる。
【００７１】
また、検査子３１ｂには嵌合ピン４５Ａ，４５Ｂの長さに対応した位置に目盛り３１ａが設けられている。これにより、嵌合ピン４５Ａ，４５Ｂの先端が検査子３１ｂの奥部まで達したことを確認でき、嵌合ピン４５Ａ，４５Ｂの長さが正常な深さであるか確認できる。
【００７２】
＜第３の実施の形態＞  
本実施の形態では、第１の実施の形態で説明した検査治具１０に発光ダイオード（以下、ＬＥＤ５３という）及び接触センサ５４を設けた検査治具５９について説明する。前述の第１及び第２の実施の形態と同じ名称及び符号のものは同じ機能を有するので、その説明を省略する。
【００７３】
［検査治具５０の構成例］  
図１０は、第３の実施の形態に係る検査治具５０の構成例を示す正面図である。図１０に示すように、検査治具５０は、検査子５１、本体部５２、発光部の一例であるＬＥＤ５３及び接触センサ５４で構成される。更に、検査治具５０は、前述の検査治具１０，３０と同様に、取付部３、リング４及び連結具５を備える。
【００７４】
検査治具５０は、前述の第１の実施の形態で説明した検査治具１０の目盛り１ａの代わりにＬＥＤ５３及び接触センサ５４を設けたものである。
【００７５】
検査子５１は、検査子１と同様にメスコネクタ２０のメスコネクタピン２４Ａ，２４Ｂに嵌合して、メスコネクタピン２４Ａ，２４Ｂの取り付け状態を検査するものである。検査子５１には接触センサ５４が設けられる。接触センサ５４は、物体に接触すると接触信号を生成してＬＥＤ５３を発光させるものである。
【００７６】
本体部５２にはＬＥＤ５３が設けられる。ＬＥＤ５３は、本体部５２の内部で導線等を介して接触センサ５４に接続されている。ＬＥＤ５３は、本体部５２に埋設可能な大きさが好ましく、例えば、チップ型のＬＥＤであって、AlGaAsで構成される赤色ＬＥＤ、GaPで構成される緑色ＬＥＤ又はGaNで構成される青色ＬＥＤ等が使用される。
【００７７】
また、本体部５２の内部には図示しない電池が設けられる。電池は、ＬＥＤ５３及び接触センサ５４の電源となる。この電池は、ボタン電池でも良いし、フィルム状の太陽電池を本体部５２の表面に巻き付けても良い。
【００７８】
メスコネクタ２０に取り付けられるメスコネクタピン２４Ａ，２４Ｂの取り付け状態を検査するときに、検査治具５０の検査子５１をメスコネクタピン２４Ａ，２４Ｂの嵌合穴２５Ａ，２５Ｂに挿入して検査子５１とメスコネクタピン２４Ａ，２４Ｂとが嵌合する。すると、検査子５１の先端に設けられた接触センサ５４は、嵌合穴２５Ａ，２５Ｂの奥部に接触して接触信号を生成する。ＬＥＤ５３は、接触センサ５４によって生成された接触信号が当該ＬＥＤ５３に入力されて発光する。
【００７９】
このように、本実施の形態に係る検査治具５０によれば、本体部５２にＬＥＤ５３が設けられ、検査子５１の先端に接触センサ５４が設けられるので、ユーザは、検査子５１の先端が嵌合穴２５Ａ，２５Ｂの奥部まで達したことＬＥＤの発光によって確認でき、嵌合穴２５Ａ，２５Ｂの深さが正常な深さであるか否かを検査治具１０に比べて簡単かつ迅速に確認できる。
【００８０】
なお、本実施の形態では、本体部５２にＬＥＤ５３を設け、ＬＥＤ５３の発光によって検査子５１の先端が嵌合穴２５Ａ，２５Ｂの奥部まで達したことを報知する検査治具５０について説明したが、ＬＥＤ５３の代わりにブザー等の放音部を設けて、発光の代わりに放音によって検査子５１の先端が嵌合穴２５Ａ，２５Ｂの奥部まで達したことを報知するようにしても良い。これにより、ユーザの聴覚によって嵌合穴２５Ａ，２５Ｂの深さが正常な深さであるか否かを確認できる。
【符号の説明】
【００８１】
１，３１ｂ，５１  検査子
１ａ，３１ａ  目盛り
２，３１，５２  本体部
３  取付部
４  リング
５  連結具
１０，３０，５０  検査治具
２０  メスコネクタ
２１，２２，４１，４２  筐体
２３，４３  ピン固定部
２３ａ，４３ａ  ピン孔
２４Ａ，２４Ｂ  メスコネクタピン
２５Ａ，２５Ｂ  嵌合穴
２６Ａ，２６Ｂ，４６Ａ，４６Ｂ  ストッパ
２７，４７  ケーブル
４０  オスコネクタ
４４Ａ，４４Ｂ  オスコネクタピン
４５Ａ，４５Ｂ  嵌合ピン
５３  発光ダイオード
５４  接触センサ
【図１】
2011129436.tif 000003
【図２】
2011129436.tif 000004
【図３】
2011129436.tif 000005
【図４】
2011129436.tif 000006
【図５】
2011129436.tif 000007
【図６】
2011129436.tif 000008
【図７】
2011129436.tif 000009
【図８】
2011129436.tif 000010
【図９】
2011129436.tif 000011
【図１０】
2011129436.tif 000012
【図１１】
2011129436.tif 000013
【図１２】
2011129436.tif 000014